(57)【要約】【課題】マイクロホン用の音道が埃や水で詰まって音が拾えなくなるということがなく、マイクロホン用音孔から風切音を拾うこともない無線機用マイクロホンの取付構造を提供する。【解決手段】送信状態と受信状態とが切替えられ、かつ、スピーカ３を有する無線機において、ケース２に設けられた音孔２ａ、２ａ…を通して音が伝えられる防水機能を有するスピーカ振動板３ａの背後にマイクロホン４を配置し、外部音が前記音孔２ａ、２ａ…を通り前記スピーカ振動板３を振動させ、この振動により発生する音が前記マイクロホン４に伝えられるように構成した。【選択図】図３
2008167130.tif 000002
【特許請求の範囲】
【請求項１】
送信状態と受信状態とが切替えられ、かつ、スピーカを有する無線機において、ケースに設けられた音孔を通して音が伝えられる防水機能を有するスピーカ振動板の背後にマイクロホンを配置し、外部音が前記音孔を通り前記スピーカ振動板を振動させ、この振動により発生する音が前記マイクロホンに伝えられるように構成した無線機用マイクロホンの取付構造。
【請求項２】
前記スピーカ振動板の背後に音道を有するスピーカフレームが配置されている請求項１の無線機用マイクロホンの取付構造。
【請求項３】
前記スピーカと前記マイクロホンとが集音機能を有するハウジングに取付けられ一体化されている請求項１または２の無線機用マイクロホンの取付構造。
【請求項４】
前記マイクロホンがＥＣＭである請求項１から３のいずれかに記載された無線機用マイクロホンの取付構造。
【発明の詳細な説明】
【技術分野】
【０００１】
この発明は無線機に係わり、特に、そのマイクロホンの取付構造に関する。
【背景技術】
【０００２】
従来の無線機用マイクロホンの取付構造の例を図５〜図７により説明する。図５は、従来の無線機の例を示す正面図、図６は同無線機を示す分解斜視図、図７は同無線機の部分を示す断面図である。
【０００３】
図に示す防水型携帯無線機１０のケース１１の正面にはスピーカ用音孔２ａ、２ａ…が多数設けられ、その背後にスピーカ３が取付けられる。スピーカ３の振動板はスピーカ用音孔２ａ、２ａ…から入った水が無線機内部に流れ込まないように、防水構造となっている。すなわち、スピーカ３の振動板の周囲とケース１１の内面との間には隙間がない。
【０００４】
ケース１１の正面には、また、マイクロホン用音孔１１ｂが設けられており、その背後にプリント基板５に実装されたＥＣＭ４が配置される。  なお、ＥＣＭ（electro condenser microphone）は小型であり、例えば、図７に示すようにＥＣＭの直径Ｂは約１０ｍｍ程度であるため、携帯無線機に多く用いられている。従って、マイクロホン用音孔１１ｂの直径は小さく多量の水がマイクロホン用音孔１１ｂから内部に入ることはない。
【０００５】
しかしながら、少量の水でも無線機に悪影響を及ぼすので、ＥＣＭ４とケース１１の間にパッキング１２が介装され、パッキング１２の円形のリブ１２ａがケース１１の内面に圧接されている。これによりマイクロホン用音孔１１ｂから入った水がパッキング１２のリブ１２ａで遮られて中部に入らないようになっている。
【０００６】
上記の無線機用マイクロホンの取付構造では、ケースに小さいマイクロホン用音孔１１ｂが設けられているため、一定以上の粉塵が入ったり、水圧がかかると、ＥＣＭが故障かるという問題があった。また、マイクロホン用音孔１１ｂから入った粉塵や水によりマイクロホン用音孔１１ｂが塞がって音が拾えなくなるという問題があった。
【０００７】
また、マイクロホン用音孔１１ｂにより風切り音を拾うという問題もあった。さらに、マイクロホン用音孔１１ｂが小さいので、マイクロホン用音孔１１ｂから口を離して使用する場合等に手で無意識に塞いでしまうことがあった。さらに、パッキング１２を必要とするので、部品点数および組み立て工数が大きくなるという問題があった。
【０００８】
特開２０００６−４１８６４号公報に提案されたマイクロホンの防水構造では、マイクロホン用音孔をマイクロホンの周縁に圧接するバッキングに設けた振動膜で塞いでいた。この場合は振動膜によりＥＣＭに水圧がかかることは防止できるが、ゴム弾性を有する振動膜を介して音が伝わるため、音響特性が劣化するという問題があった。
【特許文献１】特開２０００６−４１８６４号公報、段落００２２〜段落００２４、図１
【発明の開示】
【発明が解決しようとする課題】
【０００９】
この発明は上記した点に鑑みてなされたものであって、その目的とするところは、マイクロホン用の音道が埃や水で詰まって音が拾えなくなるということがなく、マイクロホン用音孔から風切音を拾うこともない無線機用マイクロホンの取付構造を提供することにある。
【００１０】
この発明の他の目的は、無意識にマイクロホン用音孔を塞ぐことがなく、また、マイクロホン用のパッキングを必要としない無線機用マイクロホンの取付構造を提供することである。
【課題を解決するための手段】
【００１１】
この発明の無線機用マイクロホンの取付構造は、送信状態と受信状態とが切替えられ、かつ、スピーカを有する無線機において、ケースに設けられた音孔を通して音が伝えられる防水機能を有するスピーカ振動板の背後にマイクロホンを配置し、外部音が前記音孔を通り前記スピーカ振動板を振動させ、この振動により発生する音が前記マイクロホンに伝えられるように構成したものである。
【００１２】
また、前記無線機用マイクロホンの取付構造において、前記スピーカ振動板の背後に音道を有するスピーカフレームが配置されているものである。
【００１３】
また、前記各無線機用マイクロホンの取付構造において、前記スピーカと前記マイクロホンとが集音機能を有するハウジングに取付けられ一体化されているものである。
【００１４】
また、前記各無線機用マイクロホンの取付構造において、前記マイクロホンをＥＣＭとしたものである。
【発明の効果】
【００１５】
この発明の無線機用マイクロホンの取付構造によれば、マイクロホン用の音道が埃や水で詰まって音が拾えなくなるということがなくなる。さらに、小さい１つの音孔を通して音を拾うのでないため、風切音を拾うこともなくなる。また、無意識に音孔を塞ぐことがなく、マイクロホン用のパッキングを必要としないため、部品点数および組み立て工数が削減される。
【発明を実施するための最良の形態】
【００１６】
以下この発明を実施するための最良の形態を実施例に即して説明する。
【実施例１】
【００１７】
図１はこの発明の実施例１である無線機を示す正面図、図２は同無線機を示す分解斜視図、図３は同無線機の部分を示す断面図である。図に示す防水型携帯無線機１のケース２の正面にはスピーカ用音孔２ａ、２ａ…が多数設けられ、その背後にスピーカ３が取付けられている。
【００１８】
スピーカ３の振動板３ａはスピーカ用音孔２ａ、２ａ…から入った水が無線機内部に流れ込まないように、防水構造となっている。すなわち、スピーカ３の振動板３ａは防水機能を有し、その周囲とケース２の内面との間はパッキン等で防水されている。図３に詳しく示すように、スピーカ３のフレーム３ｂには穴３ｃが形成されている。そして、その背後にプリント基板５に実装されたＥＣＭ４が配置されている。
【００１９】
この無線機は送信状態と受信状態とがＰＴＴ（press to talk)を押すことにより切替えられる。そして、送信状態ではスピーカ３は発音せず、使用者が話した声は図３に矢印で示したように、スピーカ用音孔２ａ、２ａ…を通り振動板３ａを振動させて、振動板３ａからの音がＥＣＭ４に入力される。
【００２０】
上記構成により使用者の声は広い範囲に設けられたスピーカ用音孔２ａ、２ａ…で集音されるので、従来例のように、マイクロホン用音孔から入った粉塵や水によりマイクロホン用音孔が塞がって音が拾えなくなるということがなくなる。なお、図４に示されているように実施例のスピーカ３の直径Ａは約３６mmであり、ＥＣＭ４の直径Ｂは約１０mmである。また、無意識にカピーカ用音孔を塞ぐこともなくなる。
【実施例２】
【００２１】
図４はこの発明の実施例２である無線機の部分を示す断面図である。この例では、スピーカ３とＥＣＭ４とがハウジング６に取り付けられ一体のユニットを形成している。このユニットを無線機のケースに取り付けることにより、スピーカ３とＥＣＭ４とを同時に防水型携帯無線機に取り付けることができる。他の構成は実施例１と同様である。
【００２２】
この例では、スピーカ３とＥＣＭ４の組み付け工程が簡単となり、また、ハウジング６の形状を集音能力の高い形状とすることで、ＥＣＭ４に入る音圧を高くすることができる。
【００２３】
実施例は以上のように構成されているが発明はこれに限られず、例えば、ＥＣＭに代えて他の小形マイクロホンを用いてもこの発明の効果が得られる。
【図面の簡単な説明】
【００２４】
【図１】この発明の実施例１である無線機を示す正面図である。
【図２】同無線機を示す分解斜視図である。
【図３】同無線機の部分を示す断面図である。
【図４】この発明の実施例２である無線機の部分を示す断面図である。
【図５】従来の無線機の例を示す正面図である。
【図６】同無線機を示す分解斜視図である。
【図７】同無線機の部分を示す断面図である。
【符号の説明】
【００２５】
１  防水型携帯無線機
２  ケース、２ａ  スピーカ用音孔
３  スピーカ、３ａ  振動板、３ｂ  フレーム、３ｃ  穴
４  ＥＣＭ
５  プリント基板
６  ハウジング
１０  防水型携帯無線機
１１  ケース、１１ａ  スピーカ用音孔、１１ｂ  マイクロホン用音孔
１２  パッキング、１２ａ  リブ
【図１】
2008167130.tif 000003
【図２】
2008167130.tif 000004
【図３】
2008167130.tif 000005
【図４】
2008167130.tif 000006
【図５】
2008167130.tif 000007
【図６】
2008167130.tif 000008
【図７】
2008167130.tif 000009